(57)【要約】【課題】歯科診療の現場で好適に使用することができる歯科用トレイを提供する。【解決手段】歯科用トレイ１は、底壁３０が該歯科用トレイ１の上面１０よりも下方に位置しかつ歯の治療に使用される処置用材料が収容される材料収容部３と、底壁２０が材料収容部３の底壁３０よりも下方に位置しかつ歯の治療に使用される処置器具が載置される器具載置部２と、材料収容部３の底壁３０よりも上方に突き出て器具載置部２及び材料収容部３を仕切る仕切壁４と、を有し、材料収容部３の底壁３０には、処置用材料を溜める窪み５が複数設けられている。【選択図】図１
2018134411.tif 000002
【特許請求の範囲】
【請求項１】
歯科診療に用いられる使い捨て可能な歯科用トレイであって、
底壁が該歯科用トレイの上面よりも下方に位置しかつ歯の治療に使用される処置用材料が収容される材料収容部と、底壁が前記材料収容部の底壁よりも下方に位置しかつ歯の治療に使用される処置器具が載置される器具載置部と、前記材料収容部の底壁よりも上方に突き出て前記器具載置部及び前記材料収容部を仕切る仕切壁と、を有し、
前記材料収容部の底壁には、処置用材料を溜める窪みが複数設けられている、歯科用トレイ。
【請求項２】
前記複数の窪みは、大きさの異なる複数種の窪みで構成されている、請求項１に記載の歯科用トレイ。
【請求項３】
前記複数の窪みは、半球状、半長球状及び円錐状のうちの少なくとも１つの形状をなしている、請求項１又は２に記載の歯科用トレイ。
【請求項４】
該歯科用トレイの上面に一体に設けられかつ前記器具載置部及び前記材料収容部を囲む囲繞壁をさらに有し、
前記囲繞壁の下端は、前記器具載置部の底壁よりも下方に位置する、請求項１〜３のいずれかに記載の歯科用トレイ。
【請求項５】
前記器具載置部の周壁及び前記材料収容部の周壁は、上方に向かうに連れて外側に向かって傾斜しており、
前記囲繞壁は、下方に向かうに連れて外側に向かって傾斜している、請求項４に記載の歯科用トレイ。
【請求項６】
前記囲繞壁には、内側にへこんだ凹所が少なくとも１つ設けられ、
該歯科用トレイを交互に向きを変えて上下に複数段積みしたとき、前記凹所の底面及び前記器具載置部の底壁が下方の該歯科用トレイの上面に突き当たる、請求項５に記載の歯科用トレイ。
【請求項７】
該歯科用トレイの上面には、処置に使用される天板部が設けられている、請求項１〜６のいずれかに記載の歯科用トレイ。
【請求項８】
注射針のキャップを立てた状態で保持しておくためのキャップ立てをさらに有する、請求項１〜７のいずれかに記載の歯科用トレイ。
【請求項９】
前記処置器具が前記器具載置部に載置されており、
オートクレーブ滅菌が適用可能な軟質素材で形成されたトップシートで上面が覆われている、請求項１〜８のいずれかに記載の歯科用トレイ。 
【発明の詳細な説明】
【技術分野】
【０００１】
本発明は、歯科医師や歯科衛生士が患者の歯の治療時に使用する各種の処置器具などを載せるための歯科用トレイに関し、特に使い捨て可能（ディスポーザブル）な歯科用トレイに関する。
【背景技術】
【０００２】
歯科診療においては、歯の治療に用いる処置器具を置くためのトレイが従来から使用されている。この種のトレイとしては、金属製トレイが主に普及している。金属製トレイは、丈夫で再生処理可能（洗浄・滅菌）であり、繰り返しの使用に耐えられるため、多くの歯科医院にて使用されている。
【０００３】
しかし、金属製トレイの再生処理には、トレイ１枚当たり２０円〜３５円のコストが掛かるうえ、水や電力などの資源を消費する。また、歯の治療時には、患者ごとに多数の処置器具を使用するが、全ての処置器具とともにトレイを再生処理したのでは、再生処理に多大な労力・時間を要し、また、洗浄器によりこれらを洗浄する場合、トレイはサイズが最も大きくて嵩張るため、洗浄庫内で最もスペースを必要とする。そのため、コストや労力、さらには再生処理すべき器具の点数を減らすうえでも、近年では、使い捨て可能なディスポーザブルトレイが使用され始めている。
【０００４】
ディスポーサブルトレイとしては、紙製トレイやプラスチック製トレイなどが使用されているが（例えば特許文献１を参照）、歯科診療に特化したディスポーサブルトレイはまだ存在していないのが現状である。つまり、歯の基本的な治療（例えば、う蝕処置や歯周病などの治療）では、即時重合レジン、コンポジットレジン、歯科接着用レジンセメント、プライマー、う蝕検知液などの処置用材料を処置器具とともに使用することが多く、そのため、処置用材料を収容するための薬皿が必要である。歯科診療においては、この処置用材料は、それぞれに適した陶器製・ステンレス製・プラスチック製・シリコン製・ガラス製の薬皿に適量を採取して使用するのが一般的であり、多くの歯科医院でそのように行われている。
【０００５】
この薬皿としては、特許文献２に記載のものが提案されている。この特許文献１に記載の薬皿は、用途としては、あくまでも揮発性成分を含有する薬液の処理に特化しており、その他の一般的な歯科診療に対応するものではない。また、この種の薬皿は、ディスポーザブルではないため、薬液を使用した後に洗浄・滅菌する必要があり、事後の再生処理に労力・時間が掛かる。そのうえ、処置用材料の中でもレジン類や接着性材料は、硬化して固まると薬皿にこびりついて取れにくいため、再生処理において薬皿に付着した処置用材料を除去することが困難であり、余計に労力・時間が掛かる。
【０００６】
このように、歯科診療の現場では、処置用材料を採取するための薬皿をトレイとは別に用意して、歯の治療を行っているのが主流であるが、これでは、歯科医師は歯の治療を行い難いうえ、事前の準備や事後の再生処理に多大な時間・労力を要するため、医療従事者の負担が大きい。
【先行技術文献】
【特許文献】
【０００７】
【特許文献１】特開２０１１−１８２８６４号公報
【特許文献２】特開２０１０−４２０６６号公報
【発明の概要】
【発明が解決しようとする課題】
【０００８】
本発明は、上記課題に着目してなされたものであり、歯科診療の現場で好適に使用することができる歯科用トレイを提供することを目的とする。
【課題を解決するための手段】
【０００９】
本発明の前記目的は、歯科診療に用いられる使い捨て可能な歯科用トレイであって、底壁が該歯科用トレイの上面よりも下方に位置しかつ歯の治療に使用される処置用材料が収容される材料収容部と、底壁が前記材料収容部の底壁よりも下方に位置しかつ歯の治療に使用される処置器具が載置される器具載置部と、前記材料収容部の底壁よりも上方に突き出て前記器具載置部及び前記材料収容部を仕切る仕切壁と、を有し、前記材料収容部の底壁には、処置用材料を溜める窪みが複数設けられている、歯科用トレイにより達成される。
【００１０】
上記構成の歯科用トレイにおいて、前記複数の窪みが大きさの異なる複数種の窪みで構成されていることが好ましい。
【００１１】
また、上記構成の歯科用トレイは、前記複数の窪みが半球状、半長球状及び円錐状のうちの少なくとも１つの形状をなしていることが好ましい。
【００１２】
また、上記構成の歯科用トレイは、該歯科用トレイの上面に一体に設けられかつ前記器具載置部及び前記材料収容部を囲む囲繞壁をさらに有し、前記囲繞壁の下端は、前記器具載置部の底壁よりも下方に位置することが好ましい。
【００１３】
また、上記構成の歯科用トレイは、前記器具載置部の周壁及び前記材料収容部の周壁が上方に向かうに連れて外側に向かって傾斜しており、前記囲繞壁が下方に向かうに連れて外側に向かって傾斜していることが好ましい。
【００１４】
また、上記構成の歯科用トレイは、前記囲繞壁が内側にへこんだ凹所を少なくとも１つ有し、該歯科用トレイを交互に向きを変えて上下に複数段積みしたとき、前記凹所の底面及び前記器具載置部の底壁が下方の該歯科用トレイの上面に突き当たることが好ましい。
【００１５】
また、上記構成の歯科用トレイは、該歯科用トレイの上面に処置に使用される天板部が設けられていることが好ましい。
【００１６】
また、上記構成の歯科用トレイは、注射針のキャップを立てた状態で保持しておくためのキャップ立てをさらに有することが好ましい。
【００１７】
また、上記構成の歯科用トレイは、前記処置器具が前記器具載置部に載置されており、オートクレーブ滅菌が適用可能な軟質素材で形成されたトップシートで上面が覆われていることが好ましい。
【発明の効果】
【００１８】
本発明に係る歯科用トレイによれば、処置用材料を収容する材料収容部を使い捨ての歯科用トレイに一体に設けることで、歯科医師は歯の治療を行いやすい。また、歯の治療前に準備する及び治療後に再生処理する器具の数が減るなどして、事前準備や事後処理に要する労力・時間が大幅に軽減するため、歯科衛生士や歯科助手などのアシスタントに掛かる負担も減らすことができ、その分の労力・時間を、歯科医師の補助、患者への処置、患者サービスなどに充てることができるので、良質なマンパワーを確保することができる。よって、歯科診療の現場で好適に使用することができる。
【図面の簡単な説明】
【００１９】
【図１】本発明の一実施形態に係る歯科用トレイの平面側からの斜視図である。
【図２】図１の歯科用トレイの底面側からの斜視図である。
【図３】図１の歯科用トレイの平面図である。
【図４】図１の歯科用トレイの底面図である。
【図５】図１の歯科用トレイの正面図である。なお、背面図は正面図と対称に表れるため、省略している。
【図６】図１の歯科用トレイの（ａ）左側面図、（ｂ）右側面図である。
【図７】図３の（ａ）Ａ−Ａ線断面図、（ｂ）Ｂ−Ｂ線断面図である。
【図８】図３のＣ−Ｃ線断面図である。
【図９】図１の歯科用トレイを同じ向きで複数段積みした状態の断面図である。
【図１０】図１の歯科用トレイを交互に向きを変えて複数段積みした状態の断面図である。
【図１１】本発明の他の実施形態に係る歯科用トレイの平面図である。
【図１２】図１１の歯科用トレイの底面図である。なお、正面図、背面図、左側面図及び右側面図は、図１の実施形態と同様であるため、省略している。
【図１３】本発明の他の実施形態に係る歯科用トレイの平面図である。
【図１４】図１３の歯科用トレイの底面図である。なお、正面図、背面図、左側面図及び右側面図は、図１の実施形態と同様であるため、省略している。
【図１５】本発明の他の実施形態に係る歯科用トレイの平面図である。
【図１６】図１５の歯科用トレイの底面図である。なお、正面図、背面図、左側面図及び右側面図は、図１の実施形態と同様であるため、省略している。
【図１７】本発明の他の実施形態に係る歯科用トレイの平面図である。
【図１８】図１７の歯科用トレイの底面図である。なお、正面図、背面図、左側面図及び右側面図は、図１の実施形態と同様であるため、省略している。
【図１９】本発明の他の実施形態に係る歯科用トレイの平面図である。
【図２０】図１９の歯科用トレイの底面図である。なお、正面図、背面図、左側面図及び右側面図は、図１の実施形態と同様であるため、省略している。
【図２１】本発明の他の実施形態に係る歯科用トレイの平面図である。
【図２２】図２１の歯科用トレイの底面図である。なお、正面図、背面図、左側面図及び右側面図は、図１の実施形態と同様であるため、省略している。
【図２３】本発明の他の実施形態に係る歯科用トレイの平面図である。
【図２４】図２３の歯科用トレイの底面図である。なお、正面図、背面図、左側面図及び右側面図は、図１の実施形態と同様であるため、省略している。
【図２５】本発明の他の実施形態に係る歯科用トレイの平面図である。
【図２６】本発明の他の実施形態に係る歯科用トレイの平面図である。
【図２７】本発明の他の実施形態に係る歯科用トレイの平面図である。
【図２８】本発明の他の実施形態に係る歯科用トレイの平面図である。
【図２９】本発明の他の実施形態に係る歯科用トレイの平面図である。
【発明を実施するための形態】
【００２０】
以下、本発明の実施形態について添付図面を参照して説明する。本発明に係る歯科用トレイは、歯科医師が患者の歯の治療する際に、使用する各種の処置器具及び処置に必要な各種の処置用材料がセットされて、歯科医師による処置を行いやすくするためのものである。
【００２１】
処置器具としては、代表的なものとして、例えば、歯科用ミラー、歯科用ピンセット、探針、ポケットプローブなどがあり、その他、技工用バー類、根管治療用ファイル類、形成用ダイヤモンドポイント、インプラント用小器具類などの治療内容に応じた適切な処置器具が歯科用トレイに載せられる。処置用材料は、歯科医師が歯の治療（例えば、う蝕処置、歯冠修復及び補綴、欠損補綴（ブリッジ、義歯）、歯内療法、矯正治療、インプラント治療、歯科疾患予防処置など）時に用いるものであり、例えば、う蝕検知液、コンポジットレジン、エッチング剤、プライマー、ボンディング剤、ファイバーコア、仮封用即時重合軟質レジン、仮着用セメント、歯科接着用レジンセメント、補綴物合着用セメント類、根管貼薬材、根管清掃材、根管充填用シーラー、即時重合レジン、義歯床用硬質裏装材、義歯床用長期弾性裏装材、適合診査材、ティッシュコンディショナー、ポリッシング用ペースト材、フッ素など、治療内容に応じた適切な処置用材料が歯科用トレイに採取される。
【００２２】
図１〜図６は、本発明の一実施形態に係る歯科用トレイ１の外観構成を示している。歯科用トレイ１は、薄肉の樹脂製であり、上面１０及び囲繞壁１１を有している。囲繞壁１１は、上面１０の周縁から垂れ下がるようにして上面１０に一体に設けられている。なお、歯科用トレイ１の向きとして、以下の説明では、図３の上側を「左」、下側を「右」、左側を「手前（前）」、右側を「奥（後）」としている。
【００２３】
歯科用トレイ１の上面１０には、２つの隣接する凹部２，３が設けられており、よって、上面１０は、２つの凹部２，３を取り囲むような形状をなしている。２つの凹部２，３は、面積・深さが異なっており、一方の面積及び深さの大きい凹部２は処置器具が載置される器具載置部を構成し、他方の面積及び深さの小さい凹部３は処置用材料が収容される材料収容部を構成している。器具載置部２及び材料収容部３は仕切壁４により仕切られている。
【００２４】
器具載置部２は、左右方向に長い平面視略長方形状の底壁２０と、底壁２０の周縁から立ち上がる周壁２１とを有している。器具載置部２の底壁２０は、材料収容部３の底壁３０よりも下方に位置し、当該底壁２０上に複数の処置器具が載置される。
【００２５】
器具載置部２の底壁２０の上面には、底壁２０を複数の領域に区分けする仕切り２２が設けられている。本実施形態では、仕切り２２は平面視Ｔ字状をなしており、面積の大きい１つの領域と、面積の小さい２つの領域とに底壁２０を区分けしている。複数の処置器具を、その大きさや用途に応じて各領域に分けて載置することで、分けた各処置器具が混在することを防止でき、これにより、歯科医師が歯科用トレイから使用する処置器具を探しやすくすることができる。また、仕切り２２の高さは、特に限定されるものではないが、高さを例えば４ｍｍ以下（３ｍｍ〜４ｍｍ程度）とし、仕切り２２を底壁２０に低く設ければ、大きい処置器具ばかりを底壁２０上に載置する際には、仕切り２２の存在を無視して広く処置器具を載置することも可能である。さらに、この仕切り２２により底壁２０が補強されるので、底壁２０が薄肉に形成されていても、底壁２０の強度及び保形性を高めることもできる。仕切り２２の数、形状は、特に限定されるものではなく、底壁２０を所望の大きさ・数の領域に区分けするために、種々の数、形状とすることができる。なお、この仕切り２２を底壁２０に設けなくても、本発明の歯科用トレイ１を構成できる。
【００２６】
材料収容部３は、前後方向に長い平面視略長方形状の底壁３０と、底壁３０の周縁から立ち上がる周壁３１とを有している。底壁３０は、歯科用トレイ１の上面１０よりも下方に位置し、周壁３１により囲まれている。材料収容部３の周壁３１と器具載置部２の周壁２１とが対向する部分が仕切壁４となり、仕切壁４は、材料収容部３の底壁３０よりも上方に突き出ている。
【００２７】
材料収容部３の底壁３０には、処置用材料を溜める窪み５が複数設けられている。各窪み５は、本実施形態では、処置用材料をすくい出しやすいように、底部が滑らかな湾曲形状を有し、丸みを帯びている。また、複数の窪み５は、大きさ（形状及び／又は容積）の異なる複数種の窪みで構成されており、本実施形態では、大きさが異なる３種類の窪み５Ａ，５Ｂ，５Ｃがそれぞれ複数ずつ底壁３０に設けられている。大サイズの窪み５Ａは、本実施形態では半長球状をなしており、容積（直径や深さ）が最も大きく形成されている。なお、長球（楕円体）とは、楕円をその長軸を回転軸として回転したときに得られる回転体のことであり、長球を半分にした形状あるいはそれに近い形状を窪みＡは有している。小サイズの窪み５Ｃは、本実施形態では半球状をなしており、容積（直径及び深さ）が最も小さく形成されている。中サイズの窪み５Ｂは、本実施形態では円錐状をなしており、容積（直径及び深さ）が窪み５Ａ及び窪み５Ｂの中間に形成されている。各窪み５Ａ〜５Ｃは、それぞれ所定の処置材料を特定量、収容できるように設計されている。
【００２８】
本実施形態では、窪み５Ａは、例えば主に即時重合レジンが採取され、従来これを採取するために用いられていたダッペンガラスやシリコンラバーカップと同形状となる直径２４ｍｍ×深さ１８ｍｍに設計されている。また、窪み５Ｂ，５Ｃは、例えば主に接着性レジン（コンポジットレジン、歯科接着用レジンセメント、コア用レジン）類を使用する前の歯面処理剤（エッチング剤、プライマー、ボンディング剤）が採取され、それぞれ、直径１６ｍｍ×深さ１０ｍｍ、直径１０ｍｍ×深さ５ｍｍに設計されている。なお、各窪み５Ａ〜５Ｃは、他の材料を採取することはもちろん可能であり、使用されない窪み５Ａ〜５Ｃに、例えばう蝕検知液などを採取することができる。また、各窪みの５Ａ〜５Ｃの具体的な大きさ（直径、深さ）は、上述した設計値に特に限定されるものではなく、所望の設計値とすることができる。
【００２９】
各窪み５Ａ〜５Ｃには、底壁３０の上面の開口周縁に、該上面から盛り上がる環状のリム５０が設けられている。このリム５０により、各窪み５Ａ〜５Ｃ内の処置用材料が他の窪み内に流れ込んで他の処置用材料と混ざることを防止することができる。なお、このリム５０を底壁３０に設けなくても、本発明の歯科用トレイ１を構成できる。
【００３０】
囲繞壁１１は、器具載置部２及び材料収容部３を囲むように設けられている。囲繞壁１１の下端は、器具載置部２の底壁２０及び材料収容部３の各窪み５Ａ〜５Ｃの底部よりも下方に位置している。これにより、囲繞壁１１は歯科用トレイ１を台や机などの上に置いた際に脚部として機能し、器具載置部２及び材料収容部３を、底壁２０，３０が台などに接触しないように底上げして保持することができる。囲繞壁１１の下端の四隅には、当接片８が水平に設けられている。歯科用トレイ１を台や机などの上に置いた際にこの当接片８が台などに当接することで、より安定して歯科用トレイ１を置くことができる。なお、この当接片８を囲繞壁１１に設けなくても、本発明の歯科用トレイ１を構成できる。
【００３１】
囲繞壁１１には、上端から下端にわたって延びるリブ６が周方向に沿って間隔をあけて複数設けられている。これにより、囲繞壁１１が薄肉に形成されていても、各リブ６により補強されるので、囲繞壁１１の強度及び保形性が高められている。なお、このリブ６を囲繞壁１１に設けなくても、本発明の歯科用トレイ１を構成できる。
【００３２】
囲繞壁１１は、本実施形態では、上面１０の周縁から垂直に垂れ下がっておらず、下方に向かうに連れて外側に向かって傾斜するように垂れ下がっており、囲繞壁１１の上端よりも下端が外側に開く形状をなしている。また、器具載置部２及び材料収容部３の周壁２１，３１は、本実施形態では、それぞれ底壁２０，３０の周縁から垂直に立ち上がっておらず、上方に向かうに連れて外側に向かって傾斜するように立ち上っており、周壁２１，３１の下端よりも上端が外側に開く形状をなしている。
【００３３】
これにより、複数の歯科用トレイ１を同じ向きにして上下に段積みした際に、下方に位置する歯科用トレイ１の全体が上方に位置する歯科用トレイ１の囲繞壁１１内に下から嵌り込み、さらに、上方に位置する歯科用トレイ１の各窪み５Ａ〜５Ｃ（材料収容部３）及び器具載置部２が下方に位置する歯科用トレイ１の各窪み５Ａ〜５Ｃ（材料収容部３）及び器具載置部２内に上から嵌り込む。よって、図９に示すように、複数の歯科用トレイ１をコンパクトに積み重ねることができ、例えば歯科用トレイ１の保管時や滅菌時に、複数の歯科用トレイ１を嵩張ることなく省スペースで保管・滅菌することができる。
【００３４】
また、囲繞壁１１には、内側にへこんだ凹所７が少なくとも１つ（本実施形態では３つ）設けられている。凹所７は、囲繞壁１１の上端から所定の深さにわたって形成されており、その底面７０は、器具載置部２の底壁２０と同じ高さに位置している。この凹所７は、囲繞壁１１において、器具載置部２との間に材料収容部３を挟む位置、言い換えれば、材料収容部３を介して器具載置部２の反対側の位置、に設けられている。歯科用トレイ１の上面１０は、凹所７が設けられている部分では、凹状に切り欠かれた形状をなしている。
【００３５】
これにより、複数の歯科用トレイ１を交互に向きを反対にして（交互に向きを１８０度変えて）上下に段積みすると、図１０に示すように、上方に位置する歯科用トレイ１の凹所７の底面７０及び器具載置部２の底壁２０の一部が下方に位置する歯科用トレイ１の上面１０に突き当たる。このように、上方の歯科用トレイ１が、凹所７の底面７０及び器具載置部２の底壁２０の２箇所で、下方の歯科用トレイ１の上面１０に支持されるので、複数の歯科用トレイ１を立体的にかつ安定して積み重ねることができる。よって、例えば歯科用トレイ１の滅菌時には、歯科用トレイ１に処置器具を載置させたうえで複数の歯科用トレイ１を積み重ねることで、歯科用トレイ１に処置器具をセットした状態でそのまま滅菌することも可能である。
【００３６】
上述した構成の歯科用トレイ１は、使い捨て可能であり、滅菌（例えばオートクレーブ滅菌：１２１℃・２０分）に対する耐久性があり、材料収納部３に溜められるレジン類などのモノマーに溶解しにくく、酸（例えばリン酸やＥＤＴＡ）に対する耐酸性がある合成樹脂が素材として用いられ、例えば、ポリプロピレン、ポリエチレン、ポリアセタール、ポリスチレン、ポリ塩化ビニル、ＡＢＳ、ＰＴＦＥなどを例示することができるが、耐熱性を有し、かつ環境に優しい素材であって廃棄時の環境負荷が低いポリプロピレンを好適に用いることができる。また、生分解性プラスチックやバイオマスプラスチックなどのバイオプラスチックを素材として用いることも可能である。さらに、上述した材料の組み合わせ（例えばラミネートなど）により歯科用トレイ１を形成することもできる。例えば、耐熱性ポリ乳酸の表面にポリプロピレンの薄膜をラミネートすることで、歯科用トレイ１を形成することができる。
【００３７】
さらに、上述した構成の歯科用トレイ１の大きさとしては、例えば、寸法を１４０ｍｍ×２３０ｍｍ×２０ｍｍ程度、厚みを０．５ｍｍ〜０．６ｍｍ程度とすることができるが、必ずしもこれに限られることはなく、上記寸法よりも小型にするなど、所望の大きさとすることができる。この歯科用トレイ１は、上述した合成樹脂を、真空成形や圧空成形、プレス成形、射出成形などの製造方法により加工することで形成される。
【００３８】
上述した構成の歯科用トレイ１では、歯の治療に使用する処置器具を器具載置部２に準備できるとともに、処置用材料についても材料収容部３の各窪み５Ａ〜５Ｃに採取できる。このように、歯の治療時に処置器具とともに頻繁に使用する処置用材料が一つのトレイにセットされるので、処置用材料を収容するための容器や皿をトレイとは別に用意する必要がない。よって、その分、歯の治療前に準備する器具の数を減らすことができるうえ、治療後に再生処理する器具の数も減るため、事前準備や事後処理に要する労力・時間を軽減することができる。また、処置用材料は、硬化して固まると歯科用トレイ１にこびりつきやすく取れにくいため、再生処理で付着した処置用材料を除去することは困難であるが、本実施形態の歯科用トレイ１は使い捨てであるため、処置用材料の除去のような余計な処理に費やされる手間からも解放される。さらに、歯科用トレイ１自体が使い捨てであり、使用後は廃棄できるため、トレイを再生処理する必要もないので、再生処理に要する労力・時間をさらに軽減できるうえ、水や電気の使用量も減らすことができる。
【００３９】
このように、処置用材料を収容する材料収容部３を使い捨ての歯科用トレイ１に一体に設けることで、歯科医師は歯の治療を行いやすく、また、歯の治療時の事前準備や事後処理に要する労力・時間を大幅に軽減できるので、歯科衛生士や歯科助手などのアシスタントに掛かる負担も減らすことができ、その分の労力・時間を、歯科医師の補助、患者への処置、患者サービスなどに充てることができるので、良質なマンパワーを確保することができる。よって、歯科診療の現場で好適に使用することができる。
【００４０】
加えて、複数の歯科用トレイ１を交互に向きを反対にして上下に段積みすることで、図１０に示すように、複数の歯科用トレイ１を立体的にかつ安定して積み重ねることができる。よって、例えば歯科用トレイ１の滅菌時に、処置器具をセットした歯科用トレイ１を複数重ねた状態で滅菌パックに入れて滅菌することができ、そのまま保管することもできる。
【００４１】
このように、複数の歯科用トレイ１をまとめて滅菌パックで包装して滅菌できるので、歯科用トレイ１を個別に滅菌パックで包装して滅菌する場合と比べて、滅菌パックなどのコスト削減につながるうえ、複数の歯科用トレイ１を包装する際の手間も減らすことができる。また、歯科用トレイ１の滅菌後の保管時において、処置器具をセットした状態で積み重ねることができないと、複数の歯科用トレイ１を保管するのに広い設置スペースを要し、専用のラックなどを用意してこれらを保管する必要がある。しかし、本実施形態の歯科用トレイ１のように、処置器具をセットした状態で複数積み重ねることができると、設置スペースを減らすことができるので、準備室や診療台の後ろに設置して保管することができ、治療のための準備を有効に行うことができる。なお、処置器具をセットした歯科用トレイ１は、処置器具の重みでより安定した状態で積み重ねられるので、人手で歯科用トレイ１を運ぶ際に、積み重ねた歯科用トレイ１が崩れ落ちるリスクを低減することができる。
【００４２】
加えて、材料収容部３は、各窪み５Ａ〜５Ｃの周りに周壁３１を有しており、各窪み５Ａ〜５Ｃの周囲が一段高くなっている。そのため、各窪み５Ａ〜５Ｃに溜められた処置用材料が各窪み５Ａ〜５Ｃからこぼれたとしても、材料収容部３内に留まって外部に溢れ出ることを防止することができる。よって、処置用材料が歯科用トレイ１から流れ落ちて台や机などに付着し、変色などさせることを防止することができる。
【００４３】
以上、本発明の一実施形態について説明したが、本発明は上記実施形態に限定されるものではなく、その趣旨を逸脱しない限りにおいて、種々の変更が可能である。
【００４４】
例えば、材料収容部３において処置用材料を溜める窪み５の大きさ（形状、容積）、数、配置は、特に限定されるものではない。材料収容部３は、処置用材料を溜める窪み５を有していればよく、窪み５は、所望の大きさ、数、配置とすることができる。
【００４５】
例えば、図１１及び図１２に示すように、大サイズの複数（３つ）の半長球状の窪み５Ａの手前側に小サイズの複数（４つ）の半球状の窪み５Ｃを配置した構成、図１３及び図１４に示すように、大サイズの半長球状の複数（２つ）の窪み５Ａ、中サイズの円錐状の複数（２つ）の窪み５Ｂ及び小サイズの複数（２つ）の半長球状の窪み５Ｃを一列で配置した構成、図１５及び図１６に示すように、大サイズの複数（３つ）の半長球状の窪み５Ａの手前側に中サイズの複数（２つ）の円錐状の窪み５Ｂを配置するとともに右側に小サイズの半球状の複数（４つ）の窪み５Ｃを配置した構成、図１７及び図１８に示すように、大サイズの複数（３つ）の半長球状の窪み５Ａの右側に中サイズの複数（２つ）の円錐状の窪み５Ｂと小サイズの複数（４つ）の半球状の窪み５Ｃを一列で配置するが、１つの小サイズの窪み５Ｃを残りの小サイズの窪み５Ｃから離して配置した構成、図１９及び図２０に示すように、大サイズの複数（３つ）の半長球状の窪み５Ａの手前側に小サイズの複数（４つ）の半球状の窪み５Ｃを配置するとともに右側に中サイズの複数（２つ）の円錐状の窪み５Ｂを配置した構成など、種々の構成とすることができる。
【００４６】
また、図２１及び図２２に示すように、ペースト状の処置用材料を採取する、歯科用セメントやシーラー、義歯適合試験材、その他の処置用材料を練和するなど、処置に使用される天板部９を歯科用トレイ１の上面に設けることができる。天板部９は、所定の面積を有しており、この実施形態では、歯科用トレイ１の上面の右手前側に、器具載置部２の一部分をへこませることで設けられている。従来では、歯の治療の際に高頻度で用いられる歯科用セメント、シーラー、義歯適合試験材などの処置用材料を、トレイとは別に用意した練和板などに採取していたが、天板部９が歯科用トレイ１に一体に設けられていることで、練和板などを別途用意する必要がなくなる。これにより、歯の治療前に準備する器具の数や治療後に再生処理する器具の数が減るため、事前準備や事後処理に要する労力・時間を軽減することができるうえ、歯科医師が歯の治療を効率よく行うことができる。
【００４７】
なお、歯科用トレイ１の上面において、天板部９は、右利きの人がセメント類を練和するときに、右手に練和のためのスパチュラを持って練和しやすいように、歯科用トレイ１の右手前に設置されているが、天板部９の設置場所は、特に限定されるものではなく、例えば図２３及び図２４に示すように、歯科用トレイ１の上面の左手前側に、材料収容部３の一部分をへこませることで設けてもよい。
【００４８】
ここで、図２１及び図２２では、器具載置部２の周壁２１に、仕切り２２と連続するようにして、上下方向に延びる柱２３が設けられている。各柱２３により周壁２１が補強されることで、周壁２１の強度及び保形性が高められている。なお、この柱２３を周壁２１に設けなくても、本発明の歯科用トレイ１を構成できる。また、図２１及び図２２以外の実施形態の歯科用トレイ１に柱２３を設けてもよいことは言うまでもない。
【００４９】
また、図２５及び図２６に示すように、材料収容部３の底壁３０に、小型の処置器具を収容するための収容凹部１２を設けてもよい。収容凹部１２は、平面視矩形状の窪みであり、処置器具を取り出しやすいように、底部の角が滑らかな湾曲形状を有し、丸みを帯びている。
【００５０】
また、上記実施形態では、器具載置部２の周壁２１及び材料収容部３の周壁３１は、上方に向かうに連れて外側に向かって傾斜しているが、必ずしも傾斜している必要はなく、垂直に立ち上がっていてもよい。また、囲繞壁１１も、下方に向かうに連れて外側に向かって傾斜しているが、必ずしも傾斜している必要はなく、垂直に垂れ下がっていてもよい。
【００５１】
また、上記実施形態では、囲繞壁１１には凹所７０が設けられているが、この凹所７０は必ずしも設けられている必要はない。また、囲繞壁１１の下端は、器具載置部２の底壁２０及び材料収容部３の各窪み５Ａ〜５Ｃの底部よりも下方に位置しているが、器具載置部２の底壁２０及び材料収容部３の各窪み５Ａ〜５Ｃの底部の上方に位置していてもよい。
【００５２】
また、上記実施形態では、器具載置部２及び材料収容部３が、歯科用トレイ１の左右方向（長辺方向）に隣接して設けられているが、図２７に示すように、歯科用トレイ１の前後方向（短辺方向）に隣接して設けられていてもよい。図２７では、歯科用トレイ１の上面の奥側に、左右方向に長い平面視略長方形状の器具載置部２が設けられ、歯科用トレイ１の上面の左手前側に、左右方向に長い平面視略長方形状の材料収容載置部３が設けられ、材料収容載置部３の底壁３０に、処置用材料を溜める窪み５（５Ａ〜５Ｃ）が複数設けられている。さらに、歯科用トレイ１の上面の右手前側に、所定の面積を有する天板部９が設けられている。
【００５３】
なお、図２７の実施形態において、歯科用トレイ１の上面の奥側に、材料収容部３及び天板部９が設けられ、歯科用トレイ１の上面の手前側に、器具載置部２が設けられていてもよい。また、天板部９は、歯科用トレイ１の上面に必ずしも設ける必要はなく、材料収容載置部３を天板部９まで延ばしてもよい。さらに、材料収容部３の窪み５は、所望の大きさ、数、配置とすることができる。
【００５４】
また、図２８及び図２９に示すように、歯科用トレイ１は、歯科麻酔用の注射針のキャップを立てた状態で保持しておくためのキャップ立て１３を備えることができる。キャップ立て１３は、平面視円形状の所定の深さを有する縦長の穴であり、穴の内周面には、内側に向けて突き出た複数のストッパー１４が周方向に間隔をあけて設けられている。各ストッパー１４の先端がキャップ立て１３に差し込まれたキャップの外周面に当接することで、キャップが容易にキャップ立て１３から抜け出ないようになっている。なお、キャップ立て１３は、リキャップ時まではキャップが容易に抜け出ない一方で、リキャップ時には注射筒とともにキャップがキャップ立て１３から抜け出る必要があり、そのために、キャップ立て１３は、強固にキャップを保持するのではなく、キャップが倒れたり転がったりするのを防ぐように適度に保持されていることが望ましい。
【００５５】
歯科診療では、局所麻酔が頻回に使用されるが、歯科麻酔用の注射筒は、硬い歯肉内に薬液を強圧で注入できるように、注射針をひねって注射筒に装着する構造になっている。そのため、注射針を注射筒から外すときは、注射針から一度外したキャップを使用後の針先に再び装着（リキャップ）してから、注射筒から注射針を外す必要がある。しかし、医療従事者がキャップを針先に戻す際に、誤って自分の手に使用済の注射針を刺すと、感染症に感染する、いわゆる「針刺し事故」の問題があるため、リキャップ時の針刺し事故を低減するための取り組みが必要とされている。この実施形態では、安全にリキャップするためのキャップ立て１３を備えており、注射針から外したキャップをキャップ立て１３に差し込んで立てた状態で保持しておくことで、キャップを手で持つことなく、片手で注射針の針先をキャップに挿入して容易にリキャップすることができる。これにより、針刺し事故の発生を防止することができる。
【００５６】
キャップ立て１３は、例えば、図２８に示すように、材料収容部３の底壁３０に設けたり、図２９に示すように、歯科用トレイ１の上面の天板９の一部に設けることができるが、その設置位置は特に限定されるものでない。なお、図２８においては、例えば図２１に示すような天板９を歯科用トレイ１の上面に設けてもよいことは言うまでもない。
【００５７】
また、上記実施形態において、歯科用トレイ１は、処置器具を器具載置部２にセットした状態で、その上面をオートクレーブ滅菌が適用可能な軟質素材で形成されたトップシート（図示せず）により覆うことができる。そして、このトップシートによって器具載置部２などが密封された状態で、歯科用トレイ１をオートクレーブ滅菌してもよい。
【００５８】
処置器具を器具載置部２にセットした歯科用トレイ１を滅菌パックに入れてオートクレーブで滅菌する場合、滅菌パックの両端を熱シーラーにて圧着させて封鎖する必要があるため、滅菌パックを圧着するのに多くの手間を要するうえ滅菌パックのコストが掛かるという欠点がある。これに対して、歯科用トレイ１の上面をオートクレーブで滅菌可能なトップシートで覆うことにより、１プレスにて歯科用トレイ１を密封でき、滅菌のために使用する材料費用及び手間を節約することができる。
【００５９】
トップシートは、オートクレーブ滅菌が適用可能な素材であれば、具体的には、オートクレーブ滅菌の熱（例えば１２１℃）に所定時間（例えば２０分）以上耐えられる耐熱性を有する素材であれば、特に限定されるものではなく、例えば、塩化ビニル樹脂、ポリプロピレン、ポリエチレンテレフタレート、ポリブチレンテレフタレートなどを挙げることができる。
【符号の説明】
【００６０】
１    歯科用トレイ
２    器具載置部
３    材料収容部
４    仕切壁
５    窪み
７    凹所
９    天板部
１０  歯科用トレイの上面
１１  囲繞壁
１２  収容凹部
１３  キャップ立て
２０  器具載置部の底壁
２１  器具載置部の周壁
３０  材料収容部の底壁
３１  材料収容部の周壁
７０  凹所の底面
【図１】
2018134411.tif 000003
【図２】
2018134411.tif 000004
【図３】
2018134411.tif 000005
【図４】
2018134411.tif 000006
【図５】
2018134411.tif 000007
【図６】
2018134411.tif 000008
【図７】
2018134411.tif 000009
【図８】
2018134411.tif 000010
【図９】
2018134411.tif 000011
【図１０】
2018134411.tif 000012
【図１１】
2018134411.tif 000013
【図１２】
2018134411.tif 000014
【図１３】
2018134411.tif 000015
【図１４】
2018134411.tif 000016
【図１５】
2018134411.tif 000017
【図１６】
2018134411.tif 000018
【図１７】
2018134411.tif 000019
【図１８】
2018134411.tif 000020
【図１９】
2018134411.tif 000021
【図２０】
2018134411.tif 000022
【図２１】
2018134411.tif 000023
【図２２】
2018134411.tif 000024
【図２３】
2018134411.tif 000025
【図２４】
2018134411.tif 000026
【図２５】
2018134411.tif 000027
【図２６】
2018134411.tif 000028
【図２７】
2018134411.tif 000029
【図２８】
2018134411.tif 000030
【図２９】
2018134411.tif 000031